(57)【要約】【課題】腰掛部３の下方に洗浄水Ｗの貯水部４を備えた鉢状の便器本体２から成る洋式水洗便器１Ａにおいて、排便物２０による便器内周汚損を有効に防止する便器を提供する。【解決手段】便器本体２に油ポンプ１２を備えた油タンク１１を付設すると共に、腰掛部３の上縁部位の内周に、油ポンプ１１と連通する油ノズル１４つき送油路１３を設け、油ノズル１４からの噴射油によって貯水部４の洗浄水Ｗの上面に油被膜Ｆを形成セット可能にした構造の洋式水洗便器１Ａが特徴である。【選択図】　　図１
2004132031.tif 000002
【特許請求の範囲】
【請求項１】
腰掛部の下方に洗浄水の貯水部を備えた鉢状の便器本体から成る洋式水洗便器において、該便器本体に油ポンプを備えた油タンクを付設すると共に該腰掛部の上縁部位の内周に、該油ポンプと連通する油ノズルつき送油路を設け、該油ノズルからの噴射油によって前記貯水部の洗浄水の上面に油被膜を形成セット可能にした構造を特徴とする水洗便器。
【請求項２】
溝状の排便受部を便器本体に成す和式水洗便器において、該便器本体に油ポンプを備えた油タンクを付設すると共に、該排便受部の上縁部位の内周に前記油ポンプと連通する油ノズルつき送油路を設け、該油ノズルからの噴射油によって前記排便受部の便受面または前記排便受部の溜水の上面に油被膜を形成セット可能にした構造を特徴とする水洗便器。
【請求項３】
油ポンプと油ノズルつき送油路が、便器本体に後付け装着構造である請求項１または請求項２の水洗便器。
【請求項４】
請求項１・請求項２・請求項３のいずれかの水洗便器を多数個分設配設する集合形態建物において、該水洗便器群共用の油タンクと油ポンプを設置した集合給油形態から成る水洗便器。
【請求項５】
腰掛部の下方に洗浄水の貯水部を備えた鉢状の便器本体から成る洋式水洗便器、または、溝状の排便受部を便器本体に成す和式水洗便器を使用するにおいて、前記貯水部の上面または前記排便受部の上面に、別添の油スプレーによって油被膜を予め吹き付け形成し、しかるのち、該油被膜の上に排便物を落下させることを特徴とする水洗便器の使用方法。
【発明の詳細な説明】
【０００１】
【発明の属する技術分野】
本発明は、便器本体に腰掛けたり跨って使用し、その便器本体に落下した排便物を洗浄水で汚水下水に流出させて該便器本体を洗浄して反復使用する大便用の水洗便器と、その水洗便器の使用方法に関するものである。
【０００２】
【従来の技術】
一般に広く普及している大便用の水洗便器は、洋式便器と和式便器があり、そのうちの洋式便器は排便者が腰を掛ける鉢状の便器本体の内部に洗浄水を貯えた貯水部を備えた構造を有し、使用者の排便物をその貯水部に落下水没させて収納し、しかるのち、該洗浄水を一括して汚水下水へ排水することによって排便物を排出除去洗浄して反復使用するように成っている。
【０００３】
一方、前記の和式便器は、排便者が跨いで使用する溝状の排便受部の底に少量の溜水を貯えた構造を有し、排便物をその溜水の上に落下させて収納すると共に、該排便受部の後部から多量の洗浄水を送出して汚水下水へ排水することによって排便物を排出除去洗浄して反復使用するように成っている。
【０００４】
【発明が解決しようとする課題】
以上の従来の大便用水洗便器は、洋式・和式のいずれも排便物が貯水や溜水に落下したときの落下重力によって便器内周と直接接触すると共に、洗浄水で汚水下水へ流出させるとき排便物が便器内周と直接擦れるので、便器周面に排便物が付着残存するケースがかなり発生する。従って、そのようになると便器汚損感や次回使用者の不快感を生じ、その上手数がかかる便器清掃を頻繁にせざるを得ない不具合がある。
【０００５】
本発明は、以上の従来技術の難点を解消する水洗便器と、水洗便器の使用方法を提供するものである。
【０００６】
【課題を解決するための手段】
以上の技術課題を解決する本発明の水洗便器は、「腰掛部の下方に洗浄水の貯水部を備えた鉢状の便器本体から成る洋式水洗便器において、該便器本体に油ポンプを備えた油タンクを付設すると共に該腰掛部の上縁部位の内周に、該油ポンプと連通する油ノズルつき送油路を設け、該油ノズルからの噴射油によって前記貯水部の洗浄水の上面に油被膜を形成セット可能にした構造」の第１発明の水洗便器と、
【０００７】
「溝状の排便受部を便器本体に成す和式水洗便器において、該便器本体に油ポンプを備えた油タンクを付設すると共に、該排便受部の上縁部位の内周に前記油ポンプと連通する油ノズルつき送油路を設け、該油ノズルからの噴射油によって前記排便受部の便受面または前記排便受部の溜水の上面に油被膜を形成セット可能にした構造」の第２発明の水洗便器と、
【０００８】
「腰掛部の下方に洗浄水の貯水部を備えた鉢状の便器本体から成る洋式水洗便器、または、溝状の排便受部を便器本体に成す和式水洗便器を使用するにおいて、前記貯水部の上面または前記排便受部の上面に、別添の油スプレーによって油被膜を予め吹き付け形成し、しかるのち、該油被膜の上に排便物を落下させることを特徴とする水洗便器の使用方法」に成っている。
【０００９】
即ち、前記構成の本発明の水洗便器と、水洗便器の使用方法は、便器本体内の貯水・溜水の表面または前記溜水不存在の和式水洗便器の周面に前記の油被膜を形成することによって、落下収納する排便物を前記貯水・溜水への落下水没の瞬間に該油被膜に包み込んだり、該油被膜を介在させることによって、排便物の便器周面への直接接触を回避防止する思想から成るものである。
【００１０】
なお、前記基本構成の本発明の水洗便器の「前記の油タンク・油ポンプと油送路・油ノズル」から成る油被膜形成手段は、既設便器への後付け態様または油送路・油ノズルを便器へ予め設定した先付け態様が採択される。そして、ホテル・マンション・ビル等の集合建物では該集合建物内へ分設する多数の水洗便器群で共用する「油タンク・油ポンプ」システムの態様が採択される。
【００１１】
なお、前記の油被膜用油は、排泄物への付着性が良く、かつ、汚水下水の油トラブルを生じない油質のものが選択使用されると共に、その油被膜の膜厚は排便物の自然落下接触によって破膜されない程度に設定する。
【００１２】
【作用】
以上の本発明の水洗便器・水洗便器の使用方法は、便器本体の貯水・溜水の表面に前記の油被膜を設定しておくと、落下収納される排便物は貯水・溜水に没入する瞬間に該油被膜によって包み込まれた油被膜つき形態となり、重力落下して便器底部に沈下したとき便器周面との直接接触が的確に防止され、便器本体の排便物付着汚損を的確に予防作用する。
【００１３】
そして、多量の洗浄水によって汚水下水へ流出排除するとき、その油被膜の介在によって排便物の水流による滑り性が向上すると共に、便器周面と排便物の直接接触が防止され、排便物の流出排除による便器汚損を有効に防止作用する。
【００１４】
そして、前記態様の溜水不存在の和式便器も、同じく落下収納する排便物が便器表面に存在する油被膜を介する間接接触となるので、同じく段落００１２・００１３の特有作用が存在する。
【００１５】
【発明の実施の形態】
まず、図１を参照して第１発明１実施形態の洋式水洗便器１Ａを説明する。即ち、上方開口の鉢体の上縁を排便者の腰掛部３に成すと共に、その腰掛部３の下方に「洗浄水Ｗを貯える貯水部４を備えた便器本体２を主要部に成す洋式大便用の水洗便器１Ａ」において、この水洗便器１Ａは洗浄水Ｗの上面に油被膜Ｆを形成する油被膜形成手段１０を備えている。
【００１６】
なお、図中の６は貯水部４の洗浄水Ｗを汚水下水に送出する排水路、図中の７は別設の貯水槽Ｔと連通して貯水部４への洗浄水Ｗを供給する「便器本体２の上縁に周設した給水路」、図中の８は便器本体２の上端に起立倒伏自在にセットされて排便者が臀部を乗せる便座、図中の９は便座８の開口部分を開閉する便座蓋にして、これ等はいずれも公知形態である。
【００１７】
詳しくは、便器本体２の近傍に、被膜油Ｏを貯えた油タンク１１と、この油タンク１１の被膜油１０を適量圧送する油ポンプ１２が設けられ、さらに、油ポンプ１２の送出側から引き伸ばされて腰掛部３の内周に周設され、かつ、洗浄水Ｗの上面に向けて開口する数個の油ノズル１４を有する送油路１３が配設され、この油タンク１１と油ポンプ１２と送油路１３によって油被膜形成手段１０を構成している。
【００１８】
そして、便器本体２の近傍に設けた油ポンプ１１の作動スイッチＳをワンタッチ押しすると、油ポンプ１２が作動して定量の被膜油Ｏを圧送して油ノズル１４から拡散噴出させ、貯水部４の洗浄水Ｗの上面に均質薄膜の油被膜Ｆを形成セットできるように構成されている。
【００１９】
なお、この図１形態のものは既設便器の後付け形態にして、送油管１３は腰掛部３の上縁と該上縁に接合させる便座８との隙間を通して後付け配設セットされている。
【００２０】
以上の実施形態の洋式水洗便器１Ａは、排便使用前に、貯水部４の洗浄水Ｗの上面に油被膜Ｆを形成セットしておくと、洗浄水Ｗ内に落下した排便物２０は、貯水部４への落下水没時に油被膜Ｆに瞬間接触して油被膜Ｆを全体に付着して包み込む形態となって便器本体２の内周との直接接触を防止するので排便物２０による壁面汚損が極めて有効に防止される。
【００２１】
そして、洗浄水Ｗの汚水下水への流出除去のとき排便物２０が油被膜Ｆを介して便器周面と間接接触するので、排便物２０の滑り性が極めて良く、その摺動による便器本体２の汚損が防止される。
【００２２】
次に、図２を参照して第２発明１実施形態の水洗便器１Ｂを説明する。即ち、この図２に示すものは、横断面略Ｕ字形の溝体形態の排便受部５の前端に汚水下水への排水路６の開口部２２を備え、かつ、排便受部５に「排便受部５へ落下した排便物２０の便器内周への接触付着を防止する少量の溜水１６」を貯えると共に、排便受部５の後端に排便物２０を汚水下水へ流出させて洗浄する洗浄水吐出口２４を備えた便器本体２から成る和式水洗便器１Ｂの実施形態であり、図１実施形態と同一形態の油被膜形成手段１０を有している。
【００２３】
即ち、便器本体２の近傍に同じく油タンク１１と油ポンプ１２が設けられると共に、その油ポンプ１２から引き出した送油路１３が便器本体２の凹部上縁内周に配設され、数個の油ノズル１４が溜水１６の上面に向けて開口し、溜水１６上面への油被膜形成手段１０を構成している。
【００２４】
そして、排便者が使用するとき排便前に油ポンプ１２の作動スイッチ（図示しない）をオンさせることによって、定量の被膜油Ｏを油ノズル１４から拡散噴出させて溜水１６の上面に均一薄膜の油被膜Ｆが形成セットできるように構成されている。
【００２５】
以上の図２の和式水洗便器１Ｂは、排便物２０が溜水１６に没入する瞬間に油被膜Ｆが排便物２０に付着して、その全体または下半部分を包み込むので、排便物２０と便器周面の直接接触が防止されると共に排便物２０の便器に対する滑り性が向上し、前記の洋式水洗便器１Ａと同様な極めて有効な便器汚損防止作用がある。
【００２６】
続いて、図３・図４を参照して本発明の水洗便器の他の実施形態を説明する。即ち、図３（Ａ）（Ｂ）に示す水洗便器１Ａ・１Ｂは、油被膜形成手段１０の「油ノズル１４つき油送路１３」が便器本体２の陶製壁部に内設設定された構造に成っている。そして、図３（Ｃ）に示すものは溜水１６を不存在にして便器本体２の内周に油被膜Ｆを直接形成する形態に成っている。
【００２７】
そして図４（Ａ）（Ｂ）に示すものは、油ポンプ１２の作動用スイッチとして公知の圧接スイッチ１８が用いられ、洋式水洗便器１Ａは便座８と便座カバー９の間に装着され、和式水洗便座１Ｂは排便者の足の位置の足踏み板１９と床面との間に装着されている。この図４（Ａ）（Ｂ）のものは排便者が排便姿勢をとるとき自動的にスイッチオンとなるので、使用前の油被膜Ｆの形成設定が自動的かつ的確に可能にして使用者の便宜が向上する。
【００２８】
一方図４（Ｃ）に示すものは、ホテル・マンション・事務所ビル・病院等の集合建物２１において洋式和式の水洗便器１Ａ・１Ｂを多数個分設設置する場合のケースにして、その水洗便器群共用の大型大容量の油タンク１１Ａと油ポンプ１１Ａが屋上等に設置され、その油ポンプ１２Ａと水洗便器群が常に加圧油を充満した油圧送管２２で連結されており、個個の水洗便器のスイッチ操作によって被膜油Ｏが圧出して油被膜Ｆが随時形成設定できるように構成されている。以上の図４（Ｃ）の形態のものは集合建物２１における本発明水洗便器群の管理・メンテナンスが簡素化する。
【００２９】
なお、本発明の水洗便器は、前記の実施形態に限定されず「被膜油Ｏを芳香性」のものにしたり、油ポンプ１２の作動スイッチを「使用者が排便姿勢を呈したとき作動する赤外線感知スイッチ」にしたり、さらに「使用者の用済み姿勢をキャッチして油ポンプ１２を自動作動させて次回使用に備える形態」等にすることがある。
【００３０】
次に、本発明の水洗便器の使用方法の１実施形態を説明する。詳しくは、図１〜図４に示す洋式水洗便器１Ａまたは和式水洗便器１Ｂにおいて、油タンク１１と油ポンプ１２に代えて「被膜油Ｏを充填した通常形態の油スプレー（図示しない）を別添として設置し」以下の用法によって使用する。
【００３１】
即ち、洋式水洗便器・和式水洗便器の使用前に該油スプレーの被膜油Ｏを吹き付けて「貯水部４の洗浄水Ｗの上面」或は「和式水洗便器の排便受部５の上面または溜水１６の上面」に油被膜Ｆを生成し、その油被膜Ｆの上に排便物２０を落下させて使用する。この実施形態の水洗便器の使用方法は、油被膜Ｆが予め生成されて存在するので、図２〜図３に示す各水洗便器１Ａ・１Ｂと同様な作用効果が享受できる。
【００３２】
【発明の効果】
以上の説明のとおり本発明の水洗便器と水洗便器の使用方法は、排便物による便器汚損を的確に防止するので、便器の清潔感を良好に維持して使用感の向上を図ると共に、便器の日常の清掃手入れが簡素化する。そして、水洗水量が従来のものより少量でも機能するので、水洗用水量が制限される乗物用水洗便器・簡易水洗便器には極めて有用にして、広く一般の日常生活の便器向上を図る有用な効果がある。
【図面の簡単な説明】
【図１】第１発明１実施形態の水洗便器を示し、（Ａ）はその側面断面図、（Ｂ）は（Ａ）のＤＤ視断面図、（Ｃ）はその作用説明図
【図２】第２発明１実施形態の水洗便器を示し、（Ａ）はその側面断面図、（Ｂ）は（Ａ）の断面図
【図３】第１・第２発明の水洗便器の他の実施形態を示し、（Ａ）（Ｂ）（Ｃ）ともその構造説明の横断面図
【図４】第１・第２発明の水洗便器の他の実施形態を示し、（Ａ）（Ｂ）はその構造説明の横断面図、（Ｃ）は水洗便器群の配設システムの説明図
【符号の説明】
１Ａ　洋式水洗便器
１Ｂ　和式水洗便器
２　便器本体
３　腰掛部
４　貯水部
５　排便受部
８　便座
１０　油被膜形成手段
１１　油タンク
１２　油ポンプ
１３　油送路
１４　油ノズル
１６　溜水
２０　排便物
２１　集合建物
Ｆ　油被膜
Ｏ　被膜油
Ｗ　洗浄水
【図１】
2004132031.tif 000003
【図２】
2004132031.tif 000004
【図３】
2004132031.tif 000005
【図４】
2004132031.tif 000006